(57)【要約】【課題】硬質表面における高い粒子汚れ洗浄力を有し、殺菌効果に優れた硬質表面用洗浄剤組成物を提供する。【解決手段】（ａ）下記一般式（ａ１）の化合物、（ｂ）炭素数１以上１０以下の炭化水素基を有する有機スルホン酸又はその塩、並びに（ｃ）カチオン性殺菌剤を含有する硬質表面用洗浄剤組成物。      Ｒ１ａ−（ＯＲ２ａ）ｍ−ＯＨ      （ａ１）［式中、Ｒ１ａは炭素数１以上１０以下のアルキル基であり、Ｒ２ａは炭素数３のアルキレン基であり、ｍは１以上３以下の整数である。］【選択図】なし【特許請求の範囲】
【請求項１】
（ａ）下記一般式（ａ１）の化合物［以下（ａ）成分という］、（ｂ）炭素数１以上１０以下の炭化水素基を有する有機スルホン酸又はその塩［以下（ｂ）成分という］、並びに（ｃ）カチオン性殺菌剤［以下（ｃ）成分という］を含有する硬質表面用洗浄剤組成物。
Ｒ１ａ−（ＯＲ２ａ）ｍ−ＯＨ      （ａ１）
［式中、Ｒ１ａは炭素数１以上１０以下のアルキル基であり、Ｒ２ａは炭素数３のアルキレン基であり、ｍは１以上３以下の整数である。］
【請求項２】
更に、（ｄ）下記一般式（ｄ１）の化合物を含有する請求項１記載の硬質表面用洗浄剤組成物。
Ｒ１ｄ−（ＯＲ２ｄ）ｎ−ＯＨ      （ｄ１）
［式中、Ｒ１ｄは炭素数１以上１０以下のアルキル基であり、Ｒ２ｄは炭素数２のアルキレン基であり、ｎは１以上３以下の整数である。］
【請求項３】
（ｂ）成分が、炭素数１以上３以下のアルキル基が１個以上３個以下置換していても良い芳香族スルホン酸、炭素数１以上１０以下の脂肪族スルホン酸、及びこれらの塩から選ばれる有機スルホン酸又はその塩である請求項1又は２記載の硬質表面用洗浄剤組成物。
【請求項４】
更に、（ｅ）（ａ）成分、（ｂ）成分、（ｃ）成分及び下記（ｄ）成分を除く界面活性剤［以下（ｅ）成分という］を含有する請求項１〜３何れか記載の硬質表面用洗浄剤組成物。
（ｄ）成分：下記一般式（ｄ１）の化合物
Ｒ１ｄ−（ＯＲ２ｄ）ｎ−ＯＨ      （ｄ１）
［式中、Ｒ１ｄは炭素数１以上１０以下のアルキル基であり、Ｒ２ｄは炭素数２のアルキレン基であり、ｎは１以上３以下の整数である。］
【請求項５】
（ｅ）成分として、非イオン界面活性剤及び／又は両性界面活性剤を含有する請求項４記載の硬質表面用洗浄剤組成物。
【請求項６】
更に、（ｆ）アルカリ剤を含有する請求項１〜５何れか記載の硬質表面用洗浄剤組成物。
【発明の詳細な説明】
【技術分野】
【０００１】
本発明は、硬質表面用洗浄剤組成物に関する。
【背景技術】
【０００２】
一般に硬質表面用の洗浄剤としては、浴室、台所、床等の処理対象の異なる汚れを除去するため、それぞれに適した組成のものが用いられている。例えば、レンジ、オーブン、レンジまわりの壁や床、換気扇といった台所まわりに用いられる台所まわり用洗浄剤としては、熱、日光、空気中の酸素等の作用により変質した油汚れを除去するため、界面活性剤、溶剤及びアルカリ剤等を含む洗浄剤が用いられている。また、浴槽、浴室の壁及び床といった浴室に用いられる浴室用洗浄剤としては、金属石鹸、特に脂肪酸のカルシウム塩の汚れを除去するため、界面活性剤、溶剤、金属イオン封鎖剤等を含む洗浄剤が用いられている。
【０００３】
硬質表面用の洗浄剤には、変成油などの非常に頑固な油性汚れを除去することが望まれる場合がある。特許文献１、２には、特定のポリアルキレングリコールのモノアルキルエーテルを含有する、変性油に非常に高い洗浄効果を有する硬質表面液体洗浄剤組成物が開示されている。
【０００４】
また、硬質表面用の洗浄剤は、台所廻りのシンクや壁を対象とする場合も多く、そのため殺菌効果を期待してカチオン性殺菌剤を配合することも多い。カチオン性殺菌剤としては、殺菌性を有する陽イオン界面活性剤が知られている。特許文献３には、陽イオン界面活性剤とアリールスルホン酸を含有する起泡力や洗浄力に優れ、かつ優れた殺菌効力を有する硬質表面用液体洗浄剤組成物の技術が開示されている。また、特許文献４には、（ａ）アミンオキシド、第四アンモニウム化合物またはその混合物および陰イオン性対イオンを含む、使用液に希釈した時に当該洗浄剤組成物を濃厚化させるために十分な、濃厚化に有効な量の棒状ミセルシックナー組成物、（ｂ）洗浄に有効な量の低級アルキルグリコールエーテル溶媒、（ｃ）洗浄に有効な量のアルカリ度発生源、及び（ｄ）硬度処理に有効な量の硬度封鎖剤を含有する、実質的に垂直な表面を洗浄するために有効なより粘稠な使用液を作ることができる濃厚水性洗浄剤の濃縮組成物が記載されている。
【先行技術文献】
【特許文献】
【０００５】
【特許文献１】特開２０１２−１２６８８３号公報
【特許文献２】特開２０１２−１２６８８４号公報
【特許文献３】特開２０１０−１３８２８７号公報
【特許文献４】特表平８−５１０７７２号公報
【発明の概要】
【発明が解決しようとする課題】
【０００６】
硬質表面には変成油などの非常に頑固な油性汚れだけでなく、埃やカーボンのような粒子汚れが存在し、これらを高いレベルで除去する技術が求められる。しかしながら、陽イオン界面活性剤のようなカチオン性殺菌剤を含有する洗浄剤は、埃やカーボンのような粒子汚れの洗浄力が著しく低下する傾向がある。一方、このような粒子汚れは、一般には陰イオン界面活性剤を用いて分散／洗浄させる方法が知られているが、カチオン性殺菌剤を併用すると殺菌効果が著しく損なわれるという課題が顕著化する。特に溶剤が洗浄効果の主要な剤である場合にはその課題が顕著に表れる。
本発明は、硬質表面における高い粒子汚れ洗浄力を有し、殺菌効果に優れた硬質表面用洗浄剤組成物を提供する。
【課題を解決するための手段】
【０００７】
本発明は、（ａ）下記一般式（ａ１）の化合物［以下（ａ）成分という］、（ｂ）炭素数１以上１０以下の炭化水素基を有する有機スルホン酸又はその塩［以下（ｂ）成分という］、並びに（ｃ）カチオン性殺菌剤［以下（ｃ）成分という］を含有する硬質表面用洗浄剤組成物に関する。
Ｒ１ａ−（ＯＲ２ａ）ｍ−ＯＨ      （ａ１）
［式中、Ｒ１ａは炭素数１以上１０以下のアルキル基であり、Ｒ２ａは炭素数３のアルキレン基であり、ｍは１以上３以下の整数である。］
【発明の効果】
【０００８】
本発明によれば、硬質表面における高い粒子汚れ洗浄力を有し、殺菌効果に優れた硬質表面用洗浄剤組成物が提供される。
【発明を実施するための形態】
【０００９】
〔硬質表面用洗浄剤組成物〕
＜（ａ）成分＞
（ａ）成分は、下記一般式（ａ１）の化合物である。
Ｒ１ａ−（ＯＲ２ａ）ｍ−ＯＨ      （ａ１）
［式中、Ｒ１ａは炭素数１以上１０以下のアルキル基であり、Ｒ２ａは炭素数３のアルキレン基であり、ｍは１以上３以下の整数である。］
【００１０】
一般式（ａ１）中、Ｒ１ａの炭素数は、１以上、好ましくは３以上、そして、１０以下、好ましくは８以下である。
一般式（ａ１）中、ｍは２が好ましい。
【００１１】
（ａ）成分としては、ジプロピレングリコールモノブチルエーテル、ジプロピレングリコールモノプロピルエーテル、ジプロピレングリコールモノイソブチルエーテル、ジプロピレングリコールモノヘキシルエーテル、ジプロピレングリコールモノ（２−エチルヘキシル）エーテル、ジプロピレングリコールモノオクチルエーテルなどが挙げられる。
（ａ）成分は、殺菌効果の点から、ジプロピレングリコールモノブチルエーテルが好ましい。
【００１２】
＜（ｂ）成分＞
（ｂ）成分は、炭素数１以上１０以下の炭化水素基を有する有機スルホン酸又はその塩である。前記炭化水素基は、アルキル基、アルケニル基が挙げられる。
【００１３】
（ｂ）成分としては、炭素数１以上３以下のアルキル基が１個以上３個以下置換していても良い芳香族スルホン酸、炭素数１以上１０以下の脂肪族スルホン酸、及びこれらの塩から選ばれる有機スルホン酸又はその塩が挙げられる。
炭素数１以上３以下のアルキル基が１個以上３個以下置換していても良い芳香族スルホン酸としては、メタキシレンスルホン酸、ナフタレンスルホン酸、ベンゼンスルホン酸、トルエンスルホン酸、エチルベンゼンスルホン酸、キシレンスルホン酸、クメンスルホン酸などが挙げられる。該芳香族スルホン酸は、粒子汚れ洗浄性及び殺菌効果の点から、総炭素数が、好ましくは６以上１０以下である。
炭素数１以上１０以下の脂肪族スルホン酸としては、メタンスルホン酸、オクタンスルホン酸、デカンスルホン酸などが挙げられる。
（ｂ）成分の塩は、ナトリウム塩、カリウム塩などのアルカリ金属塩が好ましい。
【００１４】
（ｂ）成分は、メタキシレンスルホン酸、ナフタレンスルホン酸、メタンスルホン酸、パラトルエンスルホン酸、オクタンスルホン酸、デカンスルホン酸、及びこれらの塩から選ばれる化合物が好ましい。（ｂ）成分は、メタキシレンスルホン酸、メタンスルホン酸、パラトルエンスルホン酸、オクタンスルホン酸、デカンスルホン酸、及びこれらの塩から選ばれる化合物がより好ましい。（ｂ）成分は、粒子汚れ洗浄性及び殺菌効果の点から、メタキシレンスルホン酸、メタンスルホン酸、及びこれらの塩から選ばれる化合物が更に好ましい。
【００１５】
＜（ｃ）成分＞
（ｃ）成分は、カチオン性殺菌剤である。（ｃ）成分は、界面活性能を有するカチオン性殺菌剤であってもよい。（ｃ）成分は、アンモニウム化合物、更に第４級アンモニウム化合物であることが好ましい。（ｃ）成分は、第４級アンモニウム塩型殺菌剤であってもよい。
【００１６】
（ｃ）成分としては、窒素原子に結合する４つの基のうち１つ又は２つが炭素数８以上１８以下の炭化水素基、好ましくはアルキル基及び／又はアルケニル基であり、残りが炭素数１以上３以下のアルキル基又はベンジル基である４級アンモニウム塩、及びベンゼトニウム塩から選ばれる一種以上のカチオン性殺菌剤が挙げられる。
【００１７】
前記４級アンモニウム塩としては、窒素原子に結合する４つの基のうち１つが炭素数８以上１８以下のアルキル基である化合物が殺菌効果の点から好ましい。
前記４級アンモニウム塩としては、下記一般式（ｃ１）で表される化合物が挙げられる。
【００１８】
【化１】
2019143079.tif 000002
【００１９】
［式中、Ｒ１ｃ、Ｒ２ｃ、Ｒ３ｃ及びＲ４ｃのうち、１つ又は２つは、炭素数８以上１８以下のアルキル基及び／又はアルケニル基を示し、該アルキル基及び／又はアルケニル基以外の基は、炭素数１以上３以下のアルキル基又はベンジル基を示し、Ｚ−はアニオン基、例えば、ハロゲンイオン、又は炭素数１以上５以下のスルホン酸エステルもしくは硫酸エステルのアニオン基を示す。］
【００２０】
一般式（ｃ１）で表される化合物は、Ｒ１ｃ、Ｒ２ｃ、Ｒ３ｃ及びＲ４ｃのうち、１つが炭素数８以上１８以下のアルキル基であり、残りが炭素数１以上３以下のアルキル基又はベンジル基である化合物が好ましく、Ｒ１ｃ、Ｒ２ｃ、Ｒ３ｃ及びＲ４ｃのうち、１つが炭素数８以上１８以下のアルキル基であり、残りがベンジル基である化合物が殺菌効果の点からより好ましい。
【００２１】
前記４級アンモニウム塩としては、塩化ベンザルコニウム、更に、アルキル（炭素数８以上１２以下）ベンジルジメチルアンモニウムクロライドが好ましい。
【００２２】
前記ベンゼトニウム塩としては、下記一般式（ｃ２）で表される化合物が挙げられる。
【００２３】
【化２】
2019143079.tif 000003
【００２４】
［式中、Ｚ−はアニオン基、例えば、ハロゲンイオン、又は炭素数１以上５以下のスルホン酸エステルもしくは硫酸エステルのアニオン基を示す。］
【００２５】
一般式（ｃ２）中、Ｚ−は、ハロゲンイオンが好ましく、塩化物イオンがより好ましい。
【００２６】
前記ベンゼトニウム塩としては、塩化ベンゼトニウムが好ましい。
【００２７】
（ｃ）成分は、前記４級アンモニウム塩が好ましく、前記一般式（ｃ１）で表される化合物がより好ましい。
【００２８】
＜硬質表面用洗浄剤組成物の組成、任意成分等＞
本発明は、（ａ）成分を洗浄主基材とした洗浄剤において、（ｃ）成分であるカチオン性殺菌剤を用いた場合、粒子汚れの除去性が著しく低下する課題に対して、（ｂ）成分を併用することにより、殺菌性と粒子汚れ洗浄性を両立できることを見出したものである。一般に埃やカーボンのような粒子汚れの表面は水中ではアニオン性であるため、（ｃ）成分が吸着しやすく、汚れ中の粒子が疎水化／凝集して除去性が低下し、しかも有効に使用できる（ｃ）成分が減少するため殺菌効果も低下する。本発明では、（ｂ）成分の炭素数１以上１２以下の炭化水素基を有する有機スルホン酸又はその塩を用いることで、殺菌性能の低下を抑えつつ、粒子汚れに対する良好な洗浄力を得ることができる。（ｂ）成分は、比較的界面活性能が低いため汚れ中の粒子に吸着しにくく、一方で、アニオン性の化合物であることから、弱く（ｃ）成分と相互作用し、（ｃ）成分の粒子汚れへの吸着を抑止できると考えられる。このように（ｂ）成分が（ｃ）成分との有効な相互作用をもたらした結果、本発明では、殺菌性と粒子汚れ洗浄性とを両立できるものと推測される。
【００２９】
本発明の硬質表面用洗浄剤組成物は、殺菌性、粒子汚れ洗浄性、油汚れ洗浄性の観点から、（ａ）成分を、好ましくは０．１質量％以上、より好ましくは０．５質量％以上、更に好ましくは０．８質量％以上、より更に好ましくは１質量％以上、そして、好ましくは２０質量％以下、より好ましくは１０質量％以下、更に好ましくは８質量％以下、より更に好ましくは５質量％以下含有する。
【００３０】
本発明の硬質表面用洗浄剤組成物は、粒子汚れ洗浄性、溶液安定性の観点から、（ｂ）成分を、好ましくは０．０１質量％以上、より好ましくは０．１質量％以上、更に好ましくは０．３質量％以上、より更に好ましくは１質量％以上、そして、好ましくは３０質量％以下、より好ましくは２０質量％以下、更に好ましくは１０質量％以下含有する。
また、本発明の硬質表面用洗浄剤組成物は、殺菌性の観点から、（ｂ）成分を、好ましくは０．０１質量％以上、より好ましくは０．１質量％以上、更に好ましくは０．３質量％以上、そして、好ましくは１０質量％以下、より好ましくは５質量％以下、更に好ましくは２質量％以下含有する。なお、（ｂ）成分の質量は酸型として算出する。
【００３１】
本発明の硬質表面用洗浄剤組成物は、殺菌性の観点から、（ｃ）成分を、好ましくは０．００１質量％以上、より好ましくは０．０１質量％以上、更に好ましくは０．１質量％以上、より更に好ましくは０．５質量％以上、そして、好ましくは１０質量％以下、より好ましくは５質量％以下、更に好ましくは３質量％以下、より更に好ましくは２質量％以下含有する。なお、（ｃ）成分の質量は対イオンをクロル塩として算出する。
【００３２】
本発明の硬質表面用洗浄剤組成物は、溶液安定性、コストの観点から、（ｂ）成分の含有量と（ｃ）成分の含有量との質量比が、［（ｂ）成分の含有量］／［（ｃ）成分の含有量］で、好ましくは０．０１以上、より好ましくは０．１以上、そして、好ましくは３００以下、より好ましくは１００以下である。
本発明の硬質表面用洗浄剤組成物は、（ｂ）成分の含有量と（ｃ）成分の含有量との質量比［（ｂ）成分の含有量］／［（ｃ）成分の含有量］は、粒子汚れ洗浄性の観点から、好ましくは０．０１以上、より好ましくは０．１以上、更に好ましくは０．５以上、より更に好ましくは１以上、そして、好ましくは５０以下、より好ましくは２０以下、更に好ましくは１０以下である。更に質量比［（ｂ）成分の含有量］／［（ｃ）成分の含有量］は、殺菌性の観点から、好ましくは０．０１以上、より好ましくは０．１以上、そして、好ましくは１０以下、より好ましくは５以下、更に好ましくは１以下である。
【００３３】
本発明の硬質表面用洗浄剤組成物は、更に、（ｄ）下記一般式（ｄ１）の化合物［以下（ｄ）成分という］を含有することができる。（ｄ）成分を用いることで、粒子汚れに対する洗浄力がより向上する。
Ｒ１ｄ−（ＯＲ２ｄ）ｎ−ＯＨ      （ｄ１）
［式中、Ｒ１ｄは炭素数１以上１０以下のアルキル基であり、Ｒ２ｄは炭素数２のアルキレン基であり、ｎは１以上３以下の整数である。］
【００３４】
一般式（ｄ１）中、Ｒ１ｄは炭素数１以上８以下のアルキル基が好ましい。
一般式（ｄ１）中、ｎは２が好ましい。
【００３５】
（ｄ）成分としては、ジエチレングリコールモノブチルエーテル（ブチルジグリコールなどとも称される）、ジエチレングリコールモノメチルエーテル、ジエチレングリコールモノエチルエーテル、ジエチレングリコールモノプロピルエーテル、ジエチレングリコールモノへキシルエーテル、ジエチレングリコールモノイソブチルエーテルなどが挙げられる。
（ｄ）成分は、ジエチレングリコールモノブチルエーテルが好ましい。
【００３６】
本発明の硬質表面用洗浄剤組成物が（ｄ）成分を含有する場合、該組成物は、（ｄ）成分を、好ましくは０．０１質量％以上、より好ましくは０．１質量％以上、そして、好ましくは３０質量％以下、より好ましくは２０質量％以下含有する。
【００３７】
本発明の硬質表面用洗浄剤組成物が（ｄ）成分を含有する場合、油汚れ洗浄性、基材損傷性、溶液安定性の観点から、（ａ）成分の含有量と（ｄ）成分の含有量との質量比は、［（ａ）成分の含有量］／［（ｄ）成分の含有量］で、好ましくは０．１以上、より好ましくは１以上、そして、好ましくは２０以下、より好ましくは１０以下である。
【００３８】
本発明の硬質表面用洗浄剤組成物は、更に、（ｅ）（ａ）成分、（ｂ）成分、（ｃ）成分及び（ｄ）成分を除く界面活性剤［以下（ｅ）成分という］を含有することができる。（ｅ）成分を用いることで、溶液安定性、殺菌性、油汚れ洗浄性がより向上する。
【００３９】
（ｅ）成分としては、非イオン界面活性剤、両性界面活性剤、（ｃ）成分以外の陽イオン界面活性剤が挙げられる。（ｅ）成分は、非イオン界面活性剤及び両性界面活性剤から選ばれる１種以上の界面活性剤が好ましい。本発明の硬質表面用洗浄剤組成物は、（ｅ）成分として、非イオン界面活性剤及び／又は両性界面活性剤を含有することが好ましい。なお、本発明では、（ｅ）成分として陰イオン界面活性剤〔但し（ｂ）成分を除く〕〔以下（ｅ’）成分という〕を用いることもできるが、（ｅ’）成分は、殺菌性を低下させる恐れがあるため、使用する場合には注意が必要である。
【００４０】
非イオン界面活性剤としては特に限定されないが、ポリオキシエチレンアルキル又はアルケニルエーテル、ポリオキシエチレンアルキルフェニルエーテル、ポリオキシプロピレンアルキル又はアルケニルエーテル、ポリオキシブチレンアルキル又はアルケニルエーテル、アルキレンオキシド付加アルキル基又はアルケニル基含有非イオン界面活性剤混合物、蔗糖脂肪酸エステル、脂肪族アルカノールアミド、脂肪酸グリセリンモノエステル、アミンオキサイド、酸化エチレン縮合型界面活性剤及びアルキルグリコシドの中から選ばれる１種又は２種以上が好ましい。かかる非イオン界面活性剤を更に具体的に示すと以下の（１）〜（１１）を挙げることができる。
【００４１】
（１）ポリオキシエチレンアルキル又はアルケニルエーテルであって、アルキル基又はアルケニル基の平均炭素数が１０以上２０以下であり、エチレンオキサイド付加モル数が平均で１モル以上３０モル以下であるもの（但し（ｄ）成分は除く）。
【００４２】
（２）ポリオキシエチレンアルキルフェニルエーテルであって、アルキル基の平均炭素数が６以上１２以下であり、エチレンオキサイド付加モル数が平均で１モル以上２５モル以下であるもの。
【００４３】
（３）ポリオキシプロピレンアルキル又はアルケニルエーテルであって、アルキル基又はアルケニル基の平均炭素数が１０以上２０以下であり、プロピレンオキサイド付加モル数が平均で１モル以上２０モル以下であるもの（但し（ａ）成分は除く）。
【００４４】
（４）ポリオキシブチレンアルキル又はアルケニルエーテルであって、アルキル基又はアルケニル基の平均炭素数が１０以上２０以下であり、ブチレンオキサイド付加モル数が平均で１モル以上２０モル以下であるもの。
【００４５】
（５）アルキル基又はアルケニル基を有し、エチレンオキサイドとプロピレンオキサイド（モル比：０．１／９．９以上９．９／０．１以下）又はエチレンオキサイドとブチレンオキサイド（モル比：０．１／９．９以上９．９／０．１以下）が付加されてなる非イオン界面活性剤混合物であって、アルキル基又はアルケニル基の平均炭素数が１０以上２０以下であり、１分子当たりのアルキレンオキサイド付加モル数が平均で１モル以上３０モル以下であるもの。
【００４６】
（６）下記の一般式（ｅ１−１）で表される高級脂肪酸アルカノールアミド又はそのアルキレンオキサイド付加物。
【００４７】
【化３】
2019143079.tif 000004
【００４８】
〔式中、Ｒ１ｅは炭素数１０以上２０以下のアルキル基又はアルケニル基を示し、Ｒ２ｅ、Ｒ３ｅは同一又は異なる水素原子又はＣＨ３を示し、ｐは１以上３以下の数、ｑは０以上３以下の数を示す〕
【００４９】
（７）蔗糖脂肪酸エステルであって、脂肪酸部分の平均炭素数が１０〜２０であるもの。
【００５０】
（８）脂肪酸グリセリンモノエステルであって、脂肪酸部分の平均炭素数が１０以上２０以下であるもの。
【００５１】
（９）アミンオキサイド。例えば炭素数１以上２４以下の直鎖又は分岐鎖アルキル基又はアルケニル基を有するアルキル又はアルケニルアミンオキサイドを挙げることができる。より好ましいアミンオキサイドとしては、下記の一般式（ｅ１−２）で表されるアルキルアミンオキサイドを挙げることができる。
【００５２】
【化４】
2019143079.tif 000005
【００５３】
（式中、Ｒ４ｅは炭素数８以上２４以下のアルキル基又はアルケニル基を示し、Ｒ５ｅ及びＲ６ｅは同一又は異なる炭素数１以上３以下のアルキル基を示し、Ｄは−ＮＨＣ（＝Ｏ）−基又は−Ｃ（＝Ｏ）ＮＨ−基を示し、Ｅは炭素数１以上５以下のアルキレン基を示し、ｍ及びｎはｍ＝０かつｎ＝０又はｍ＝１かつｎ＝１を示す。）
上記一般式（ｅ１−２）において、Ｒ４ｅは炭素数８以上２４以下のアルキル基又はアルケニル基であるが、炭素数１２以上１８以下のアルキル基が好ましい。Ｒ５ｅ、Ｒ６ｅは炭素数１以上３以下のアルキル基であるが、炭素数１のメチル基が好ましい。
【００５４】
（１０）酸化エチレン及び酸化プロピレンを縮合して得られる「プルロニック」（旭電化（株））の商品名の非イオン界面活性剤。
【００５５】
（１１）アルキル多糖類。例えば、下記の一般式（ｅ１−３）で表されるアルキル多糖類。
Ｒ７ｅ（ＯＲ８ｅ）ｘＧｙ        （ｅ１−３）
（式中、Ｒ７ｅは、直鎖又は分岐鎖の総炭素数８以上１８以下のアルキル基、アルケニル基又はアルキルフェニル基を示し、Ｒ８ｅは炭素数２以上４以下のアルキレン基を示し、Ｇは炭素数５又は６を有する還元糖に由来する残基を示し、ｘ（平均値）は０以上５以下を示し、ｙ（平均値）は１以上５以下を示す。）
【００５６】
式中のｘはその平均値が０以上５以下であるが、この値を変えることにより、洗浄剤組成物の水溶性及び結晶性を調整できる。つまり、ｘの値が大きいもの程、水溶性が高くなり、かつ結晶性が低くなる傾向にある。好ましいｘの値は０以上２以下であり、より好ましくは０である。
【００５７】
式中のｙは、その平均値が１より大きい場合、つまり２糖類以上の糖鎖を親水性基とする場合、糖鎖の結合様式が１−２、１−３、１−４、１−６結合のもの、更にα−、β−ピラノシド結合又はフラノシド結合及びこれらの混合された結合様式を有する任意の混合物を含むことが可能である。また、一般式（ｅ１−３）中のｙの平均値は１以上、好ましくは１．１以下、そして、５以下、好ましくは１．５以下、より好ましくは１．４以下である。なお、ｙの測定値はプロトンＮＭＲ法によるものである。
【００５８】
式中のＲ７ｅは、溶解性及び洗浄性の点から、炭素数１０以上１４以下のアルキル基が好ましい。Ｒ８ｅは、水溶性の点から、炭素数２又は３のアルキレン基が好ましい。
【００５９】
式中のＧは単糖類若しくは２糖類以上の原料によってその構造が決定されるが、このＧの原料としては、単糖類ではグルコース、フルクトース、ガラクトース、キシロース、マンノース、リキソース、アラビノース及びこれらの混合物等を挙げることができ、２糖類以上ではマルトース、キシロビオース、イソマルトース、セロビオース、ゲンチビオース、ラクトース、スクロース、ニゲロース、ツラノース、ラフィノース、ゲンチアノース、メレジトース及びこれらの混合物等を挙げることができる。これらのうち、好ましい原料は、それらの入手容易性及びコストの点から、単糖類ではグルコース及びフルクトースであり、２糖類以上ではマルトース及びスクロースである。これらの中でも入手容易性の点から、グルコースが好ましい。
【００６０】
更に、次の一般式（ｅ１−４）
【００６１】
【化５】
2019143079.tif 000006
【００６２】
（式中、Ｒ９ｅは炭素数６〜２４のアルキル基又はアルケニル基を示す。）
【００６３】
で表されるアルキルメチルグルカミド、ペンタエリスリトール・イソステアリルグリシジルエーテルの１モル付加体、ソルビトール・イソステアリルグリシジルエーテルの１モル付加体、マンニトール・２−オクチルドデシルグリシジルエーテルの１モル付加体、メチルグルコシド・イソステアリルグリシジルエーテルの１モル付加体、ジグリセリン・イソステアリルグリシジルエーテルの１モル付加体、フィタントリオール等の１分子中に少なくとも１個の長鎖分岐アルキル基又はアルケニル基及び少なくとも３個の水酸基を有する非イオン界面活性剤を挙げることができる。
【００６４】
これらの非イオン界面活性剤の中でも（１）、（３）、（６）、（９）及び（１１）から選ばれる非イオン界面活性剤が好ましく、（６）、（９）及び（１１）から選ばれる非イオン界面活性剤がより好ましく、（９）が更に好ましい。
【００６５】
両性界面活性剤としては特に限定されないが、本発明においては下記の一般式（ｅ２−１）、（ｅ２−２）、（ｅ２−３）及び（ｅ２−４）で表されるベタインから選ばれる１種又は２種以上を挙げることができる。
【００６６】
【化６】
2019143079.tif 000007
【００６７】
（式中、Ｒ１０ｅは炭素数８以上２２以下の直鎖又は分岐鎖のアルキル基又はアルケニル基を示し、Ｒ１１ｅ、Ｒ１２ｅは同一又は異なって水酸基が置換していてもよい炭素数１以上５以下のアルキル基を示し、Ｒ１３ｅは炭素数７以上２１以下の直鎖又は分岐鎖のアルキル基又はアルケニル基を示し、Ｙは水素原子又は水酸基を示し、ｒ、ｓ、ｔは１以上３以下の数を示し、ｕは１以上５以下の数を示し、ｖは１以上の数を示し、ｗ、ｘは、０≦ｗ＋ｘ≦４である数を示す。）
【００６８】
一般式（ｅ２−１）中、Ｒ１０ｅは洗浄力の点で炭素数８以上１８以下の飽和アルキル基が好ましく、炭素数１０以上１６以下の飽和アルキル基がより好ましい。同様の理由で、Ｒ１１ｅ、Ｒ１２ｅはそれぞれメチル基、エチル基又はヒドロキシエチル基が好ましく、ｒは１が好ましい。
【００６９】
一般式（ｅ２−１）中、Ｒ１０ｅは洗浄力の点で炭素数８以上１８以下の飽和アルキル基が好ましく、炭素数１０以上１６以下の飽和アルキル基がより好ましい。同様の理由で、Ｒ１１ｅ、Ｒ１２ｅはそれぞれメチル基、エチル基又はヒドロキシエチル基が好ましく、ｓは１が好ましく、ｔは１が好ましい。
【００７０】
一般式（ｅ２−３）及び（ｅ２−４）中、Ｒ１３ｅは洗浄力の点で炭素数９以上１５以下の飽和アルキル基が好ましい。同様の理由で、Ｒ１１ｅ、Ｒ１２ｅはそれぞれメチル基、エチル基又はヒドロキシエチル基が好ましく、ｕは２又は３が好ましく、ｖは１が好ましく、ｗは１が好ましく、ｘは１が好ましい。これらの具体例として、アルキルアミドプロピル−Ｎ，Ｎ−ジメチル酢酸ベタイン、アルキルアミドプロピル−Ｎ，Ｎ−ジメチル−２−ヒドロキシプロピルスルホベタイン、アルキルアミドプロピル−Ｎ，Ｎ−ジメチル−プロピルスルホベタイン等を挙げることができる。これらの中でも、洗浄力、起泡力の点で、ラウリン酸アミドプロピル−Ｎ，Ｎ−ジメチル酢酸ベタイン、ミリスチン酸アミドプロピル−Ｎ，Ｎ−ジメチル酢酸ベタイン、コカミドアミドプロピル−Ｎ，Ｎ−ジメチル酢酸ベタイン、ラウリルヒドロキシスルホベタイン、ラウリン酸アミドプロピル−Ｎ，Ｎ−ジメチル−２−ヒドロキシプロピルベタイン等が好ましい。
【００７１】
（ｃ）成分以外の陽イオン界面活性剤は、カチオン性化合物であって、界面活性を有するが、相対的に殺菌性が（ｃ）成分よりも低い、例えば、殺菌性が無いか、あっても当業界での使用量では殺菌剤としての機能が期待できない化合物から選択される。
【００７２】
本発明の硬質表面用洗浄剤組成物が（ｅ）成分を含有する場合、該組成物は、（ｅ）成分を、好ましくは０．００１質量％以上、より好ましくは０．１質量％以上、そして、好ましくは２０質量％以下、より好ましくは１０質量％以下含有する。
本発明の硬質表面用洗浄剤組成物が（ｅ）成分として非イオン界面活性剤及び／又は両性界面活性剤を含有する場合、該組成物は、非イオン界面活性剤及び／又は両性界面活性剤を、好ましくは０．００１質量％以上、より好ましくは０．１質量％以上、そして、好ましくは２０質量％以下、より好ましくは１０質量％以下含有する。
【００７３】
（ｅ）成分中、非イオン界面活性剤及び／又は両性界面活性剤の合計の割合は、好ましくは０．１質量％以上、より好ましくは１質量％以上、更に好ましくは５質量％以上、より更に好ましくは１０質量％、特に好ましくは５０％質量以上、最も好ましくは８０質量％以上、そして、好ましくは１００質量％以下であり、１００質量％であってもよい。
【００７４】
また、本発明の硬質表面用洗浄剤組成物は、（ｅ’）成分である陰イオン界面活性剤を含有することができるが、殺菌性を低下させる恐れがあるため、含有する場合には注意が必要である。本発明の硬質表面用洗浄剤組成物では、（ｅ）成分中の（ｅ’）成分の割合は、好ましくは１０質量％以下、より好ましくは５質量％以下、更に好ましくは１質量％以下である。この割合は、０質量％以上であり、０質量％であってもよい。つまり、本発明の硬質表面用洗浄剤組成物は、（ｅ’）成分を含有しなくてもよい。
【００７５】
本発明の硬質表面用洗浄剤組成物は、更に、（ｆ）アルカリ剤［以下（ｆ）成分という］を含有することができる。（ｆ）成分を用いることで、油汚れ洗浄性、タンパク質汚れ洗浄性、殺菌性がより向上する。
【００７６】
（ｆ）成分としては、モノエタノールアミン、ジエタノールアミン、トリエタノールアミンなどのアルカノールアミン、水酸化ナトリウム、水酸化カリウム等のアルカリ金属の水酸化物、オルソ珪酸ナトリウム、メタ珪酸ナトリウム、セスキ珪酸ナトリウム、一号珪酸ナトリウム、二号珪酸ナトリウム、三号珪酸ナトリウム等の珪酸塩、リン酸二水素ナトリウム、リン酸水素二ナトリウム、リン酸三ナトリウム、ピロリン酸ナトリウム等のリン酸塩、炭酸二ナトリウム、炭酸水素ナトリウム、炭酸二カリウム、炭酸水素カリウム等の炭酸塩、ホウ酸ナトリウム等のホウ酸塩、酢酸ナトリウム、酢酸カリウム、乳酸ナトリウム、乳酸カリウムなどの有機酸の塩、リジン、アルギニンなどの塩基性アミノ酸、エチレンジアミン、ジエチレントリアミン、スペルミン、スペルミジンなどのポリアミンが挙げられる。（ｆ）成分は、アルカノールアミン及びアルカリ金属の水酸化物から選ばれる１種以上のアルカリ剤が好ましく、アルカノールアミンから選ばれる１種以上のアルカリ剤がより好ましい。２種以上のアルカリ剤を組み合わせて用いても良い。
【００７７】
本発明の硬質表面用洗浄剤組成物が（ｆ）成分を含有する場合、該組成物は、（ｆ）成分を、好ましくは０．０１質量％以上、より好ましくは０．１質量％以上、そして、好ましくは２０質量％以下、より好ましくは１０質量％以下含有する。（ｆ）成分は、組成物のｐＨが後述する範囲となるように用いるのが好ましい。
【００７８】
本発明の硬質表面用洗浄剤組成物は、水を含有することが好ましい。水を含有する液体組成物であることが好ましい。水は、組成物の残部となる量で含有される。
【００７９】
本発明の硬質表面用洗浄剤組成物は、安定性、安全性、使い勝手などの点から、２５℃におけるｐＨ（ガラス電極法）が、好ましくは７以上、より好ましくは８以上、更に好ましくは９以上、より更に好ましくは１０以上、そして、好ましくは１４以下、より好ましくは１３以下、更に好ましくは１２．５以下、より更に好ましくは１２以下である。このｐＨは、硬質表面の洗浄に使用する際のｐＨであってよい。
【００８０】
本発明の硬質表面用洗浄剤組成物は、硬質物品の硬質表面用、更に食品加工設備及び／又は調理設備の硬質表面用であることが好ましい。
「食品加工設備及び／又は調理設備」とは、食品加工工場において、食品を加工する際及び／又は調理する際に用いられる機器及び設備を意味する。かかる機器としては、例えば、パイプ、部品、ネットコンベアやフリーザー、スライサー、精米機等の食品製造又は調理機器が挙げられる。また、かかる設備としては、例えば、床、壁、作業台などが挙げられる。
具体的には、本発明の硬質表面用洗浄剤組成物は、好ましくは硬質物品の硬質表面への塗布用洗浄剤、より好ましくは食品加工設備又は調理設備の硬質表面への塗布用洗浄剤である。
また、具体的には、本発明の硬質表面用洗浄剤組成物は、好ましくは硬質物品の硬質表面への噴霧用洗浄剤、より好ましくは食品加工設備又は調理設備の硬質表面への噴霧用洗浄剤である。
【００８１】
硬質物品としては、パイプ、部品等の食品製造機器、台所周りの硬質物品、台所周りの硬質物品は、台所の周辺で使用される物品であり、具体的には、
（１）冷蔵庫、食器棚などの食品、食器、調理器具の保存場所、
（２）排水溝、調理台、レンジフード、シンク、ガスレンジ、電子レンジなどの食品の調理場所、及び
（３）その周辺の床や壁等
である。本発明では、これらを便宜上「台所周りの硬質物品」とする。
また、本発明の洗浄対象である硬質表面、更に台所周りの硬質表面は、プラスチック（シリコーン樹脂などを含む）、金属、陶器、木、及びそれらの組み合わせが挙げられる。
【００８２】
〔洗浄方法〕
本発明は、本発明の硬質表面用洗浄剤組成物を硬質表面に接触させて洗浄する、硬質表面の洗浄方法を提供する。
【００８３】
本発明の洗浄方法は、前記本発明の硬質表面用洗浄剤組成物を、粒子汚れ又は粒子汚れと油汚れ（以下、汚れという場合、特記しない限り、粒子汚れ又は粒子汚れと油汚れを含んだ汚れを意味する）が付着した硬質表面に接触させる、硬質表面の洗浄方法として好適に実施できる。以下、硬質表面の洗浄方法について説明する。
【００８４】
本発明の硬質表面の洗浄方法では、前記硬質表面用洗浄剤組成物を、硬質表面に接触させる。硬質表面に接触させる硬質表面用洗浄剤組成物は、（ａ）成分を、殺菌性、粒子汚れ洗浄性、油汚れ洗浄性の観点から、好ましくは０．１質量％以上、より好ましくは０．５質量％以上、更に好ましくは０．８質量％以上、より更に好ましくは１質量％以上、そして、好ましくは２０質量％以下、より好ましくは１０質量％以下、更に好ましくは８質量％以下、より更に好ましくは５質量％以下含有する。また、硬質表面に接触させる硬質表面用洗浄剤組成物は、（ｂ）成分を、粒子汚れ洗浄性の観点から、好ましくは０．０１質量％以上、より好ましくは０．１質量％以上、更に好ましくは０．３質量％以上、より更に好ましくは１質量％以上、そして、好ましくは３０質量％以下、より好ましくは２０質量％以下、更に好ましくは１０質量％以下含有する。また、硬質表面に接触させる硬質表面用洗浄剤組成物は、（ｂ）成分を、殺菌性の観点から、好ましくは０．０１質量％以上、より好ましくは０．１質量％以上、更に好ましくは０．３質量％以上、そして、好ましくは１０質量％以下、より好ましくは５質量％以下、更に好ましくは２質量％以下含有する。また、硬質表面に接触させる硬質表面用洗浄剤組成物は、（ｃ）成分を、殺菌性の観点から、好ましくは０．００１質量％以上、より好ましくは０．０１質量％以上、更に好ましくは０．１質量％以上、より更に好ましくは０．５質量％以上、そして、好ましくは１０質量％以下、より好ましくは５質量％以下、更に好ましくは３質量％以下、より更に好ましくは２質量％以下含有する。
【００８５】
本発明では（ａ）成分と（ｂ）成分と（ｃ）成分とを含む濃厚組成物を調製しておき、該濃厚組成物を水で希釈して本発明の硬質表面用洗浄剤組成物を調製し、硬質表面に接触させてもよい。すなわち、本発明の（ａ）成分と（ｂ）成分と（ｃ）成分とを含有する濃厚組成物を水で希釈して本発明の硬質表面用洗浄剤組成物に調製し、該硬質表面用洗浄剤組成物を希釈せずに硬質表面に接触させる、硬質表面の洗浄方法であってもよい。
【００８６】
粒子汚れ負荷が高い汚れを対象とする場合には、前記硬質表面用洗浄剤組成物を直接対象物に接触させることができる。また、粒子汚れ負荷がそれほど高くない汚れを対象とする場合には、前記硬質表面用洗浄剤組成物を水で更に希釈して用いることができる。なお、前記硬質表面用洗浄剤組成物を水で希釈して用いる場合には、殺菌効果を得るために、水希釈物中の（ｃ）成分の濃度が０．１ｐｐｍ以上、更に０．５ｐｐｍ以上、更に１ｐｐｍ以上であることが好ましい。この水希釈物も本発明の硬質表面用洗浄剤組成物である。
【００８７】
本発明では、（ｃ）成分であるカチオン性殺菌剤の殺菌性を担保しつつ、粒子汚れに対して分散能を発現する組成であるため、粒子汚れを含む汚れが付着した硬質表面においても優れた洗浄効果と殺菌効果を得ることを可能にする。
【００８８】
また、本発明の硬質表面の洗浄方法は、前記硬質表面用洗浄剤組成物を、汚れが付着した硬質表面に接触させた後、機械力などの外力をかけず（付与せず）に放置する洗浄方法が挙げられる。本発明では、界面活性剤が汚れや菌に吸着、アルカリ等が汚れを分散・分解するため、スポンジ等の可撓性材料や手指等を用いることなく接触させ、機械力などの外力をかけずにそのまま放置しても高い洗浄効果と殺菌効果が得られる。これにより、手や道具の届かない部位や届きにくい細部の洗浄に好適である。
機械力などの外力をかけずに放置するとは、例えば、組成物の接触以外に、洗浄のための意図的な操作を行わないことである。例えば、接触させた組成物が硬質表面を自然に流下することや、洗浄を意図しない振動が硬質表面に伝わることなどは、外力をかけずに放置すると理解できる。
放置した後は、通常、水ですすぐ。すすぐ際は、手などで外力（物理的力）を掛けてもよく、単に水流ですすいでもよい。
【００８９】
本発明の硬質表面の洗浄方法では、前記硬質表面用洗浄剤組成物を、対象物である硬質表面の面積１００ｃｍ２に対して、好ましくは０．１ｇ以上、より好ましくは０．３ｇ以上、更に好ましくは０．４ｇ以上、そして、好ましくは５ｇ以下、より好ましくは３ｇ以下、更に好ましくは２ｇ以下の割合で接触させる、更に、塗布又は噴霧することが好ましい。
【００９０】
本発明の硬質表面の洗浄方法では、洗浄効果を高める観点から、前記硬質表面用洗浄剤組成物を硬質表面に接触後、好ましくは１０秒以上、より好ましくは２０秒以上、更に好ましくは３０秒以上、より更に好ましくは４０秒以上、そして、同様の観点から、好ましくは６０分以下、より好ましくは３０分以下、更に好ましくは２０分以下、より更に好ましくは１０分以下、より更に好ましくは５分以下、放置する。この場合、最初に前記組成物が硬質表面に接触した時点を放置の開始としてよい。
なお、放置する際の温度は、室温でよく、例えば、１０℃以上３０℃以下が挙げられる。
【００９１】
また、本発明の硬質表面の洗浄方法では、洗浄効果を高める観点から、好ましくは１０秒以上、より好ましくは２０秒以上、更に好ましくは３０秒以上、より更に好ましくは４０秒以上、そして、同様の観点から、好ましくは６０分以下、より好ましくは３０分以下、更に好ましくは２０分以下、より更に好ましくは１０分以下、より更に好ましくは５分以下、前記硬質表面用洗浄剤組成物と洗浄対象である硬質表面とを接触させる。
【００９２】
本発明の硬質表面の洗浄方法では、前記硬質表面用洗浄剤組成物を、汚れが付着した硬質表面を該組成物中に浸漬させて接触させてもよいし、また、効率的に洗浄効果を高める観点から、噴霧又は塗布して、汚れが付着した硬質表面に接触させてもよい。
前記硬質表面用洗浄剤組成物を、汚れが付着した硬質表面に接触させる方法は、噴霧又は塗布が好ましく、液滴状にして噴霧する又は泡状にして塗布する方法が挙げられる。具体的には、スプレー手段を用いることができる。すなわち本発明の硬質表面用洗浄剤組成物を、スプレイヤーを具備する容器に充填してなる硬質表面用洗浄剤物品を用いるのが好ましい。本発明は、本発明の硬質表面用洗浄剤組成物を、スプレイヤーを具備する容器に充填してなる、スプレー容器入り硬質表面用洗浄剤物品を提供する。
【００９３】
本発明のスプレー容器入り硬質表面用洗浄剤物品における本発明の硬質表面用洗浄剤組成物を充填するスプレイヤーを具備する容器は、トリガー式スプレー容器、ポンプ式スプレー容器等の噴射剤を使用しない手動式スプレー装置、噴射剤を用いるエアゾール等が挙げられる。前記スプレイヤーを具備する容器は、内容物を液滴状又は泡状にして噴霧又は塗布することができるトリガー式スプレーが好ましく、内容物を液滴状に噴霧する機構を備えたトリガー式スプレー又は泡を形成する機構（泡形成機構）を備えたトリガー式スプレーがより好ましい。
【００９４】
本発明のスプレー容器入り硬質表面用洗浄剤物品において、液滴状に本発明の硬質表面用洗浄剤組成物を噴霧する機構を備えたトリガー式スプレーを用いる場合、前記組成物を入れるスプレー容器の噴射ノズルの噴口径は、スプレーのし易さや、噴射された液滴が荒くなく、直線状にスプレーされず、スプレーできる面積が極端に狭くならないために、好ましくは０．１ｍｍ以上、より好ましくは０．３ｍｍ以上、そして、好ましくは２ｍｍ以下、より好ましくは１ｍｍ以下の範囲である。
液滴状に噴霧する機構を備えたトリガー式スプレーを用いる場合、本発明のスプレー容器入り硬質表面用洗浄剤物品は、１回の操作で、好ましくは０．１ｍＬ以上、より好ましくは０．３ｍＬ以上、そして、好ましくは５ｍＬ以下、より好ましくは２ｍＬ以下の組成物を噴霧する。
【００９５】
泡形成機構を備えたトリガー式スプレーを用いる場合、本発明のスプレー容器入り硬質表面用洗浄剤物品は、１回の操作で、好ましくは０．５ｍＬ以上、より好ましくは１ｍＬ以上、そして、好ましくは３０ｍＬ以下、より好ましくは１５ｍＬ以下、更に好ましくは５ｍＬ以下の組成物を噴霧する。
【００９６】
本発明の硬質表面の洗浄方法は、硬質物品の硬質表面、更に食品加工設備及び／又は調理設備の硬質表面の洗浄方法として好ましい。また、硬質物品の硬質表面の手洗い洗浄方法、更に食品加工設備及び／又は調理設備の硬質表面の手洗い洗浄方法として好ましい。
【００９７】
本発明の硬質表面の洗浄方法は、硬質物品の硬質表面、好ましくは食品加工設備及び／又は調理設備の硬質表面を洗浄対象とする。
硬質物品、及び食品加工設備及び／又は調理設備は、前述のものが挙げられる。
本発明の硬質表面の洗浄方法の対象とする硬質表面の材質は、プラスチック（シリコーン樹脂などを含む）、金属、陶器、木、及びそれらの組み合わせが挙げられる。
【００９８】
本発明の硬質表面の洗浄方法では、好ましくは本発明の硬質表面用洗浄剤組成物を直接硬質表面に接触させる。そして、前記組成物が接触した状態で放置すればよいため、洗浄時において、スポンジ等の可撓性材料による擦り洗いのような機械力などの外力をかける作業を必要としない。
本発明の硬質表面の洗浄方法は、前記硬質表面用洗浄剤組成物を接触させた硬質表面を、水で濯ぐ工程、好ましくは前記硬質表面用洗浄剤組成物を接触させた硬質表面を、放置後、水で濯ぐ工程を含むことができる。
【実施例】
【００９９】
＜硬質表面用洗浄剤組成物の調製＞
水に、表に示す各成分を表の割合となるように添加して、スターラーにて１０分撹拌保持して、硬質表面用洗浄剤組成物を調製した。表中、モノエタノールアミンが配合されていない組成物は、ｐＨが１１．５となるように、ＮａＯＨでｐＨを調整した。また、表中、モノエタノールアミンが配合されている組成物はｐＨの調整を行わなかった。なお、ｐＨはガラス電極法で測定した。
【０１００】
＜粒子汚れ洗浄性試験＞
１ｃｍ四方の布（谷頭商店製  綿メリヤス）を、EP-700 BlueGA（顔料、大日精化工業株式会社製）０．２８質量％、Liqutint Bright Yellow（顔料、ミリケンケミカル社製）０．３質量％、モノエタノールアミン０．２５質量％を含む粒子汚れモデル液（残部は水）に３０秒浸漬し、一昼夜乾燥させて粒子汚れ汚染布を得た。
表の硬質表面用洗浄剤組成物を、Ｎｏ．５スクリュー管に５ｍＬ入れて、その中に前記で作製した粒子汚れ汚染布を１枚入れ、２０℃で、２５分間スターラーで撹拌した。その後、布を取り出して一昼夜乾燥させて、色彩計（日本電色工業株式会社製  Spectrophotometer SE 2000）を用いてａ＊値を測定した。結果を表１〜３に示す。ａ＊値が大きいほど粒子汚れに対する洗浄力が高いことを意味し−１６．０以上を合格とする。
【０１０１】
＜殺菌性試験＞
（１）組織培養フラスコにＬＢ培地を１０ｍＬ入れて、シャーレに培養した黄色ブドウ球菌を白金耳にて取り出し、ＬＢ培地に入れた。
（２）上記フラスコを、恒温振とう培養機（タイテック株式会社製  Bio ShakerBR-23FP）に入れ、２００ｒｐｍ、３７℃で１６時間培養した。
（３）上記ＬＢ培地を５０ｍＬ遠沈管に移し、遠心機（株式会社日立製作所製  himacCF 9RX）により、４０００ｒｐｍ、１５℃、１０分の条件で遠心分離した。
（４）上澄みのＬＢ培地を廃棄し、１０ｍＬの生理食塩水を添加して、再度（３）と同じ条件で遠心分離した。
（５）上澄みの生理食塩水を廃棄し、生理食塩水を添加してＯＤ１の菌液を作製した。
（６）（５）で作成した液を用いてＢＳＡ０．５％、ＯＤ０．００１の菌液を作製した。
（７）８ｃｍ×３ｃｍ×０．１ｃｍのＳＵＳ３０４の板の上に（６）で作製した菌液を０．３ｍＬ添加して均一に塗り広げた。
（８）（７）の板に、表１、２の硬質表面用洗浄剤組成物を水で１０００倍に希釈した試験液を０．３ｍＬ添加して、均一に塗り広げて３０分間静置した。なお、表３の硬質表面用洗浄剤組成物を用いる場合は、当該組成物を水で１０倍に希釈した試験液に置き換えて同様に操作した。また、対照として、（７）の板を水のみで処理したサンプルを用意した。
（９）ＬＰ停止液を１ｍＬ封入した拭き取り棒に、板上に残存している液を流し込み、拭き取り棒にて板上をスワブしてふき取った。
（１０）拭き取り棒から液を取り出し、それを１０倍おきに段階希釈した。
（１１）段階希釈した液を標準寒天培地に０．１ｍＬ添加して、コンラージ棒にて塗り広げた。
（１２）（１１）で作製した培地を３７℃、２４時間培養してコロニー数をカウントした。対照（水のみで処理したサンプル）の生菌数と各組成物で処理したサンプルの生菌数との差を殺菌数〔Ｌｏｇ（ｃｆｕ／ｍＬ）〕とした。結果を表に示した。
なお殺菌数は０．１０Ｌｏｇ（ｃｆｕ／ｍＬ）〕以上が合格である。
【０１０２】
【表１】
2019143079.tif 000008
【０１０３】
【表２】
2019143079.tif 000009
【０１０４】
【表３】
2019143079.tif 000010
【０１０５】
表中の成分は以下のものである。
・ＬＡＳ：花王株式会社製  ネオペレックスＧ−２５
なお、ＬＡＳは（ｅ）成分でもあるが、対比のため、表中では便宜的に（ｂ’）成分として示した。
・塩化ベンザルコニウム：花王株式会社製  サニゾールＢ−５０
・アミンオキサイド：花王株式会社製  アンヒトール２０Ｎ